(57)【要約】【課題】今までにない新規な形態のラベルであって、優れた販促効果を発揮する缶用ラベルを提供すること。【解決手段】プルトップ型の缶Ｃにおける上蓋Ｃａの中に入るサイズの板紙からなり、缶Ｃの上蓋Ｃａの中に入れた時にプルトップＰを横断する位置にそのプルトップＰが挿入可能な舌状の切込１１を有してなるラベルであって、舌状の切込１１で囲まれる部分を押し下げてプルトップＰが舌状の切込に入るように上蓋Ｃａの中にセットすることにより、缶Ｃの上部に取り付けることを特徴とする。缶のプルトップを利用して自然には外れない状態で取り付けることができ、しかも、缶上面の面積より若干小さい形状で、缶の側面に貼着するシールに比べると、広告を表示したり特典を付けたりするためのスペースを大きくとることができるため、これを取り付けた缶の販促効果を上げることができる。【選択図】図２
2005084297.tif 000002
【特許請求の範囲】
【請求項１】
プルトップ型の缶における上蓋の中に入るサイズの板紙からなり、缶の上蓋の中に入れた時にプルトップを横断する位置にそのプルトップが挿入可能な舌状の切込を有してなるラベルであって、舌状の切込で囲まれる部分を押し下げてプルトップが舌状の切込に入るように上蓋の中にセットすることにより、缶の上部に取り付けることを特徴とする缶用ラベル。
【請求項２】
プルトップ型の缶における上蓋の中に入るサイズの取付部とその一部から延びる延設部とを有する板紙からなり、取付部は缶の上蓋の中に入れた時にプルトップを横断する位置にそのプルトップが挿入可能な舌状の切込を有してなるラベルであって、取付部における舌状の切込で囲まれる部分を押し下げてプルトップが舌状の切込に入るように上蓋の中にセットすることにより缶の上部に取り付け、延設部は下方に折り曲げて前垂れ状態にすることを特徴とする缶用ラベル。
【請求項３】
プルトップ型の缶における上蓋の中に入るサイズの取付部とその一部から延びる延設部とを有する板紙からなり、取付部は缶の上蓋の中に入れた時にプルトップを横断する位置にそのプルトップが挿入可能な舌状の切込を有し、延設部は取付部より長くかつ取付部と反対側に差込み片を有してなるラベルであって、取付部における舌状の切込で囲まれる部分を押し下げてプルトップが舌状の切込に入るように上蓋の中にセットすることにより缶の上部に取り付け、延設部は上方に折り返して先端の差込み片をプルトップの下側に差し込むことにより缶の上で組み立てられることを特徴とする缶用ラベル。
【発明の詳細な説明】
【技術分野】
【０００１】
本発明は、缶ジュースや缶ビールなどの飲料缶等に取り付けて使用される販促用の缶用ラベルに関するものである。
【背景技術】
【０００２】
従来、缶ジュースや缶ビールなどの飲料缶は、例えば新製品の販促を行うに際して缶自体に何らかの付加的な広告をしたり特典を付けたりするような場合、缶にはペットボトルの首部のような引っかける部分がなく、吊下タイプのラベルを引っかけるようなことができないことから、もっぱら缶の側面にシールを貼り付けることが行われている。一方、ペットボトルなど首のある容器の場合は、その首に引っかけるタイプのラベルが種々知られているが、このタイプのラベルを首部のない飲料缶に適用することはできない。
【特許文献１】特開２０００−３５５３１１号公報
【特許文献２】特開２００２−９１３０９号公報
【発明の開示】
【発明が解決しようとする課題】
【０００３】
上記したように飲料缶の場合は、販促手段としてその側面にシールを貼ることしかないが、このシールはサイズが小さくまた缶の絵柄と一体化してしまうため、店頭等においてあまり目立たない。したがって、シールを貼るという手段では販促効果を上げることは難しい。そこで、飲料業界にあっては、飲料缶に対しシール以外に新規な販促手段の出現が求められている。
【０００４】
本発明は、このような背景に鑑みてなされたものであり、その目的とするところは、今までにない新規な形態のラベルであって、優れた販促効果を発揮する缶用ラベルを提供することにある。
【課題を解決するための手段】
【０００５】
上記の目的を達成するため、本発明に係る第１のタイプの缶用ラベルは、プルトップ型の缶における上蓋の中に入るサイズの板紙からなり、缶の上蓋の中に入れた時にプルトップを横断する位置にそのプルトップが挿入可能な舌状の切込を有してなるラベルであって、舌状の切込で囲まれる部分を押し下げてプルトップが舌状の切込に入るように上蓋の中にセットすることにより、缶の上部に取り付けることを特徴としている。
【０００６】
また、同様の目的を達成するため、本発明に係る第２のタイプの缶用ラベルは、プルトップ型の缶における上蓋の中に入るサイズの取付部とその一部から延びる延設部とを有する板紙からなり、取付部は缶の上蓋の中に入れた時にプルトップを横断する位置にそのプルトップが挿入可能な舌状の切込を有してなるラベルであって、取付部における舌状の切込で囲まれる部分を押し下げてプルトップが舌状の切込に入るように上蓋の中にセットすることにより缶の上部に取り付け、延設部は下方に折り曲げて前垂れ状態にすることを特徴としている。
【０００７】
また、同様の目的を達成するため、本発明に係る第３のタイプの缶用ラベルは、プルトップ型の缶における上蓋の中に入るサイズの取付部とその一部から延びる延設部とを有する板紙からなり、取付部は缶の上蓋の中に入れた時にプルトップを横断する位置にそのプルトップが挿入可能な舌状の切込を有し、延設部は取付部より長くかつ取付部と反対側に差込み片を有してなるラベルであって、取付部における舌状の切込で囲まれる部分を押し下げてプルトップが舌状の切込に入るように上蓋の中にセットすることにより缶の上部に取り付け、延設部は上方に折り返して先端の差込み片をプルトップの下側に差し込むことにより缶の上に突き出た組立部分を形成することを特徴としている。
【発明の効果】
【０００８】
請求項１に記載の発明である缶用ラベルは、缶のプルトップを利用して自然には外れない状態で取り付けることができ、しかも、缶上面の面積より若干小さい形状で、缶の側面に貼着するシールに比べると、広告を表示したり特典を付けたりするためのスペースを大きくとることができるため、これを取り付けた缶の販促効果を上げることができる。
【０００９】
請求項２に記載の発明である缶用ラベルは、請求項１に記載の発明が奏する効果に加えて、延設部により広告を表示したり特典を付けたりするためのスペースをさらに大きくとることができるため、より一層の販促効果を上げることができる。
【００１０】
請求項３に記載の発明である缶用ラベルは、缶のプルトップを利用して自然には外れない状態で取り付けることができ、しかも、缶の上に突き出た組立部分により、広告を表示したり特典を付けたりするためのスペースを大きくとることができ、しかも立体的な表示もできることから、大きなアピール性を付与することができ、これを取り付けた缶の販促効果を大きく上げることができる。
【発明を実施するための最良の形態】
【００１１】
図１は本発明に係る第１のタイプの缶用ラベルの一例を示す展開図、図２は図１の缶用ラベルを缶の上部に取り付ける様子を示す斜視図、図３は図１の缶用ラベルを缶の上部に取り付けた状態を示す斜視図である。
【００１２】
図１の缶用ラベル１０は、印刷済みの板紙を打ち抜いて作製された一枚もので、円形状をしており、そのサイズは取り付けるべきプルトップ型の飲料缶Ｃにおける上蓋Ｃａの中に入る大きさ、すなわち缶上面の面積より若干小さいサイズになっている。そして、所定の位置に舌状の切込１１を有している。この舌状の切込１１については、以下の例でも同様であるが、缶用ラベル１０を上蓋Ｃａの中に入れた時にプルトップＰを横断する位置に、かつプルトップＰが挿入可能な幅で設けられていさえすれば任意の形状でよく、図示のようなＵ字型のほか、例えば、コの字型、Ｖ字型などであってもよい。
【００１３】
図１の缶用ラベル１０は、図２のように飲料缶Ｃの上蓋Ｃａの中に入れることで取り付けられるが、この時、舌状の切込１１で囲まれる部分を押し下げてプルトップＰが舌状の切込１１に入るように上蓋Ｃａの中にセットすることにより、図３に示す如く飲料缶Ｃの上部に取り付ける。このように取り付けられた缶用ラベル１０は、上蓋Ｃの中に嵌まり込んでプルトップＰにより係止されているので自然に外れることはない。しかもこの缶用ラベル１０を取り付けた状態でも飲料缶Ｃを重ね置きすることができる。
【００１４】
図４は本発明に係る第２のタイプの缶用ラベルの一例を示す展開図、図５は図４の缶用ラベルを缶の上部に取り付ける様子を示す斜視図、図６は図４の缶用ラベルを缶の上部に取り付けた状態を示す斜視図である。
【００１５】
図４の缶用ラベル２０は、印刷済みの板紙を打ち抜いて作製された一枚もので、取付部２０ａとそれに対して折曲げ可能な延設部２０ｂとからなる。取付部２０ａは円形部分とその一部から突出した腕部分とからなり、その腕部分に折曲げ線ａを介して延設部２０ｂが連設している。そして、取付部２０ａにおける円形部分は、取り付けるべきプルトップ型の飲料缶Ｃにおける上蓋Ｃａの中に入る大きさ、すなわち缶上面の面積より若干小さいサイズになっており、所定の位置に舌状の切込２１を有している。この舌状の切込２１は、缶用ラベル２０を上蓋Ｃａの中に入れた時にプルトップＰを横断する位置に、かつプルトップＰが挿入可能な幅で設けられている。また、延設部２０ｂは、横に長い矩形状で四隅が丸くなったデザインになっている。
【００１６】
図４の缶用ラベル２０は、図５のように取付部２０ａを飲料缶Ｃの上蓋Ｃａの中に入れることで取り付けられるが、この時、舌状の切込２１で囲まれる部分を押し下げてプルトップＰが舌状の切込２１に入るように上蓋Ｃａの中にセットすることにより、図６に示す如く飲料缶Ｃの上部に取り付ける。そして、取り付ける際に、延設部２０ｂは折曲げ線ａのところで下方に折り曲げておく。このように取り付けられた缶用ラベル２０は、上蓋Ｃの中に嵌まり込んでプルトップＰにより係止されているので自然に外れることはなく、飲料缶Ｃの側面に延設部２０ｂからなる前垂れがある形状となる。
【００１７】
図７は本発明に係る第３のタイプの缶用ラベルの一例を示す展開図、図８は図７の缶用ラベルを缶の上部に取り付ける様子を示す斜視図、図９は図７の缶用ラベルを缶の上部に取り付けた状態を示す斜視図である。
【００１８】
図７の缶用ラベル３０は、印刷済みの板紙を打ち抜いて作製された一枚もので、取付部３０ａとそれに対して折曲げ可能な延設部３０ｂとからなる。取付部３０ａは円形部分とその一部から突出した腕部分とからなり、その腕部分に折曲げ線ａを介して延設部３０ｂが連設している。そして、取付部３０ａにおける円形部分は、取り付けるべきプルトップ型の飲料缶Ｃにおける上蓋Ｃａの中に入る大きさ、すなわち缶上面の面積より若干小さいサイズになっており、所定の位置に舌状の切込３１を有している。この舌状の切込３１は、缶用ラベル３０を上蓋Ｃａの中に入れた時にプルトップＰを横断する位置に、かつプルトップＰが挿入可能な幅で設けられている。また、延設部３０ｂは、取付部３０ａより長い寸法の矩形状でかつ取付部３０ａと反対側に折曲げ線ｂを介して差込み片３２を有しており、さらに、矩形状部分には中央より若干下方寄りの位置にこれを横断する折曲げ線ｃを有している。
【００１９】
図７の缶用ラベル３０は、図８のように取付部３０ａを飲料缶Ｃの上蓋Ｃａの中に入れることで取り付けられるが、この時、舌状の切込３１で囲まれる部分を押し下げてプルトップＰが舌状の切込３１に入るように上蓋Ｃａの中にセットする。そして、缶用ラベル３０を飲料缶Ｃの上部に取り付けた後、延設部３０ｂを折曲げ線ａのところで上方に折り返し、さらに折曲げ線ｃのところを山折りしてから、差込み片３２を折曲げ線ｂで折り曲げてプルトップＰの下側に差し込む。これにより、缶用ラベル３０は、図９に示す如く飲料缶Ｃの上に取り付けられる。このように取り付けられた缶用ラベル３０は、取付部３０ａが上蓋Ｃの中に嵌まり込んでプルトップＰにより係止されているので自然に外れることはなく、しかも、飲料缶Ｃの上に延設部３０ｂが山形に組み立てられた形状となる。
【００２０】
上記で説明した缶用ラベル１０，２０，３０は、飲料缶Ｃに取り付けた状態での表示領域がシールに比べると格段に広いので、ここに商品広告の印刷を施すと大きく目立たせることができる。また、印刷を施すほか、例えばスクラッチ式やめくり式等のクジ部を設けることもできる。特に、図４にタイプの缶用ラベル２０では、延設部２０ｂにも適宜な印刷を施すほか、延設部２０ｂを例えば切取り可能なクーポン券とすることもできる。また、図７に示すタイプの缶用ラベル３０では、形状を活かした立体的な絵柄を施すことができる。
【００２１】
また、上記した本発明の缶用ラベルは、板紙製として低コスト、環境対応とすることができる。或いは、樹脂系の材料で作製するなど、必要に応じて耐水性を持たせることもできる。さらには、マットコート紙を用いてインクジェット印刷を可能とし、クジ部にコード印刷を施すこともできる。
【産業上の利用可能性】
【００２２】
本発明の缶用ラベルは、一般に用いられているプルトップ型のアルミ缶、スチール缶の何れにも対応することができる。そして、缶ジュースや缶ビールなどの飲料缶に販促用として取り付けて使用するのが好適であるが、プルトップ付きでありさえすれば任意のタイプの缶に取り付けて使用することが可能である。
【図面の簡単な説明】
【００２３】
【図１】本発明に係る第１のタイプの缶用ラベルの一例を示す展開図である。
【図２】図１の缶用ラベルを缶の上部に取り付ける様子を示す斜視図である。
【図３】図１の缶用ラベルを缶の上部に取り付けた状態を示す斜視図である。
【図４】本発明に係る第２のタイプの缶用ラベルの一例を示す展開図である。
【図５】図４の缶用ラベルを缶の上部に取り付ける様子を示す斜視図である。
【図６】図４の缶用ラベルを缶の上部に取り付けた状態を示す斜視図である。
【図７】本発明に係る第３のタイプの缶用ラベルの別の例を示す展開図である。
【図８】図７の缶用ラベルを缶の上部に取り付ける様子を示す斜視図である。
【図９】図７の缶用ラベルを缶の上部に取り付けた状態を示す斜視図である。
【符号の説明】
【００２４】
Ｃ  飲料缶
Ｃａ  上蓋
Ｐ  プルトップ
１０  缶用ラベル
１１  舌状の切込
２０  缶用ラベル
２０ａ  本体部
２０ｂ  延設部
２１  舌状の切込
３０  缶用ラベル
３０ａ  本体部
３０ｂ  延設部
３１  舌状の切込
３２  差込み片
【図１】
2005084297.tif 000003
【図２】
2005084297.tif 000004
【図３】
2005084297.tif 000005
【図４】
2005084297.tif 000006
【図５】
2005084297.tif 000007
【図６】
2005084297.tif 000008
【図７】
2005084297.tif 000009
【図８】
2005084297.tif 000010
【図９】
2005084297.tif 000011